(57)【要約】フレーム部（１１４）は、電力を変換するために動作して発熱する電気回路素子（１０１）を冷却する冷却部が取り付けられる平板状の部材である。コンデンサ部（１０４）は、電気回路素子（１０１）に電気的に接続されるコンデンサ素子を含んで形成され、フレーム部（１１４）の法線方向に配置される構造部材であって、互いに反対の方向を向き、法線方向と平行な外面である第１支持面及び第２支持面を有する。第１フレーム（１０５）と第２フレーム（１０６）とのそれぞれの端部は、接続フレーム（１０３）に固定されている。第１フレーム（１０５）は、第１支持面（１１７）に固定される第１取付面（１２５）を有する。第２フレーム（１０６）は、第２支持面（１１８）に固定される第２取付面（１３２）を有する。
2015118654.tif 000002
【特許請求の範囲】
【請求項１】
電力を変換するために動作して発熱する電気回路素子と、
前記電気回路素子が取り付けられ、前記電気回路素子が動作中に発する熱を空気中へ放出することにより前記電気回路素子を冷却する冷却部と、
前記冷却部が取り付けられる平板状のフレーム部を有する接続フレームと、
前記電気回路素子に電気的に接続されるコンデンサ素子を含んで形成され、前記フレーム部の法線方向に配置される構造部材であって、互いに反対の方向を向き、前記法線方向と平行な外面である第１支持面及び第２支持面を有するコンデンサ部と、
前記接続フレームに固定される端部と、前記第１支持面に固定される第１取付面とを有する第１フレームと、
前記接続フレームに固定される端部と、前記第１取付面と互いに対向する方向を向き、前記第２支持面に固定される第２取付面とを有する第２フレームとを備える電力変換装置。
【請求項２】
前記第１フレーム及び前記第２フレームは、いずれも、前記フレーム部に固定されている
請求項１に記載の電力変換装置。
【請求項３】
前記第１フレームは、前記フレーム部に取り付けられており、
前記接続フレームは、前記フレーム部から前記法線方向へ突き出た、前記第２フレームを固定するための接続部をさらに有し、
前記第２フレームは、前記フレーム部から間隙を空けて前記接続部に固定される
請求項１に記載の電力変換装置。
【請求項４】
前記第２フレームと前記フレーム部との間の前記間隙を通過して配置されており、前記電気回路素子と前記コンデンサ部とを電気的に接続する導電体をさらに備える
請求項３に記載の電力変換装置。
【請求項５】
前記第１フレーム及び前記第２フレームは、前記法線方向を水平にした場合に、前記コンデンサ部の底面と同じ高さに位置付けられる下端部を有する
請求項１に記載の電力変換装置。
【請求項６】
前記フレーム部に固定される端部と、前記法線方向を水平にした場合に前記第１取付面の下方にて前記第１取付面と面一に配置される第３取付面とを有する第３フレームと、
前記フレーム部に固定される端部と、前記第２取付面の前記下方にて前記第２取付面と面一に配置され、前記第３取付面と対向する方向を向く第４取付面とを有する第４フレームとをさらに備え、
前記第１支持面は、前記第１取付面が固定される領域と、当該領域の前記下方にて前記第３取付面が固定される領域とを有し、
前記第２支持面は、前記第２取付面が固定される領域と、当該領域の前記下方にて前記第４取付面が固定される領域とを有する
請求項１に記載の電力変換装置。
【請求項７】
前記電気回路素子と前記コンデンサ部とが間隔を空けて対置される
請求項１に記載の電力変換装置。
【請求項８】
前記コンデンサ部は、前記第２フレームが取り付けられる方向へ突き出す端子を有し、
前記第２フレームは、前記端子が挿設される端子挿設孔を有する
請求項１に記載の電力変換装置。
【請求項９】
前記コンデンサ部は、前記法線方向に間隔を空けて複数並べて配置される
請求項１に記載の電力変換装置。
【発明の詳細な説明】
【技術分野】
【０００１】
本発明は、電力変換装置に関する。
【背景技術】
【０００２】
電車に搭載される電力変換装置は一般に、直流電力を交流電力に変換するインバータ回路が設けられる回路ユニット、インバータ回路へ入力する電圧を安定させるためのフィルタコンデンサが設けられるコンデンサユニットなどから構成される。電車のインバータ回路に入力される直流電力の電圧は、例えば１５００Ｖ程度である。そのため、フィルタコンデンサはその電力に見合った大きい容量が必要になり、大容量を得るために多数のコンデンサ素子をモールドしたモールドコンデンサが採用される場合、その重量は２５〜６０ｋｇ程度になる。電車の走行時には、その重いフィルタコンデンサが振動する。【０００３】
そのため、電車に搭載される従来の電力変換装置のコンデンサユニットでは、フィルタコンデンサの重量と長時間の揺れとに耐えられる強度を確保するために、フレーム部材、補強部材などで堅固に構成された箱状の収容体にモールドコンデンサが収容され固定される（例えば、特許文献１参照）。通常、収容体にはモールドコンデンサを載置する載置板が設けられ、モールドコンデンサは、その載置板に固定される。
【先行技術文献】
【特許文献】
【０００４】
【特許文献１】特開２００５−２２９７０８号公報
【発明の概要】
【発明が解決しようとする課題】
【０００５】
しかしながら、モールドコンデンサを収める収容体は、強度を確保するために、複雑な構造になるという問題がある。【０００６】
本発明は、上述の事情を鑑みてなされたもので、簡素な構造で十分な強度を確保することが可能な電力変換装置を提供することを目的とする。
【課題を解決するための手段】
【０００７】
上記目的を達成するため、本発明に係る電力変換装置は、電気回路素子と、冷却部と、接続フレームと、コンデンサ部と、第１フレームと、第２フレームとを備える。電気回路素子は、電力を変換するために動作して発熱する。冷却部は、電気回路素子が取り付けられ、電気回路素子が動作中に発する熱を空気中へ放出することにより電気回路素子を冷却する。接続フレームは、冷却部が取り付けられる平板状のフレーム部を有する。コンデンサ部は、電気回路素子に電気的に接続されるコンデンサ素子を含んで形成され、フレーム部の法線方向に配置される構造部材である。コンデンサ部は、互いに反対の方向を向き、法線方向と平行な外面である第１支持面及び第２支持面を有する。第１フレームは、接続フレームに固定される端部と、第１支持面に固定される第１取付面とを有する。第２フレームは、接続フレームに固定される端部と、第１取付面と互いに対向する方向を向き、第２支持面に固定される第２取付面とを有する。
【発明の効果】
【０００８】
本発明によれば、第１フレーム及び第２フレームとともにコンデンサ部が構造部材となるので、簡素な構造で十分な強度を確保することが可能な電力変換装置を提供することが可能になる。
【図面の簡単な説明】
【０００９】
【図１】本発明の実施の形態１に係る電力変換装置の斜視図である。
【図２】実施の形態１に係る電力変換装置の左側面図である。
【図３】実施の形態１に係る電力変換装置の右側面図である。
【図４】実施の形態１に係る電力変換装置を後方から見た断面図である。
【図５】実施の形態１に係る電力変換装置を上方から見た断面図である。
【図６】一変形例に係る電力変換装置の平面図である。
【図７】本発明の実施の形態２に係る電力変換装置の斜視図である。
【図８】実施の形態２に係る電力変換装置を後方から見た断面図である。
【図９】本発明の実施の形態３に係る電力変換装置を後方から見た断面図である。
【図１０】本発明の実施の形態４に係る電力変換装置を後方から見た断面図である。
【発明を実施するための形態】
【００１０】
以下、本発明の実施の形態について、図面を参照しつつ説明する。全図を通じて同一の要素には同一の符号を付し、重複する説明は省略する。また、明細書及び図における前後、上下、左右の用語は、方向を説明するために用いるのであって、本発明を限定する趣旨ではない。
【００１１】
実施の形態１．
本発明の実施の形態１に係る電力変換装置１００は、鉄道車両に搭載され、架線から取り込まれる直流電力を三相交流に変換して、負荷である誘導電動機へ出力する。なお、電力変換装置１００は、入力電力を負荷へ供給するための出力電力に変換する装置であればよく、鉄道車両に限らず、クレーン車、船舶、航空機、産業用機械などに搭載されてもよい。
【００１２】
電力変換装置１００は、図１〜５に示すように、電気回路素子１０１と、冷却ユニット１０２と、接続フレーム１０３と、複数のコンデンサ部１０４と、第１フレーム１０５と、第２フレーム１０６と、第１締結具１０７と、第２締結具１０８と、導電体１０９とを備える。
【００１３】
なお、図１は、電力変換装置１００を右後ろ上方から見た斜視図である。図２及び図３は、それぞれ、電力変換装置１００の左側面図及び右側面図である。図４は、電力変換装置１００を後方から見た、図３のＩ−Ｉ線における断面図である。図５は、電力変換装置１００を上方から見た、図４のII−II線における断面図である。
【００１４】
電気回路素子１０１は、電力を変換するために動作して発熱する素子である。電気回路素子１０１は、例えば、ＩＧＢＴ（Insulated Gate Bipolar Transistor）素子などであり、直流の入力電力を交流の出力電力に変換するインバータ回路などを構成する。
【００１５】
冷却ユニット（冷却部）１０２は、動作中に発熱する電気回路素子１０１を冷却するユニットであって、図２などに示すように、ベース部１１０と、ヒートパイプ１１１と、放熱フィン１１２と、カバー１１３とを備える。
【００１６】
ベース部１１０は、アルミニウム、銅などの熱伝導性がよい材料で作られた平板状の部材であり、前方から見て概ね矩形をなす。ベース部１１０の後面には、電気回路素子１０１の動作中に発する熱が伝導するように接触して電気回路素子１０１が取り付けられる。
【００１７】
ヒートパイプ１１１は、熱を伝導する部材であって、密閉された内部の空間に冷媒が封入されたパイプである。ヒートパイプ１１１の基端部は、ベース部１１０との間で熱が伝導するように接触しており、例えば上下方向を向けてベース部１１０に埋設される。ヒートパイプ１１１は、基端部の上端から屈曲し、やや上方を向きながら前方へ延びている。
【００１８】
放熱フィン１１２は、熱伝導性のよい材料で作られる平板状の部材であり、ベース部１１０の前方にてベース部１１０と平行に複数並べられる。放熱フィン１１２の各々は前方から見て概ね矩形をなし、それぞれに複数の穴が設けられている。これらの穴の各々には、ヒートパイプ１１１から放熱フィン１１２へ熱が伝わるようにヒートパイプ１１１の外周面が接して挿設される。
【００１９】
カバー１１３は、ヒートパイプ１１１及び放熱フィン１１２を囲んでベース部１１０に固定される。カバー１１３は、例えば金網などから構成され、枯れ葉などの異物が内部に入ることを防ぎつつ、内部と外部との間で空気を流通させる孔を有する。
【００２０】
このような冷却ユニット１０２によれば、電気回路素子１０１が動作中に発する熱は、ベース部１１０、ヒートパイプ１１１及び放熱フィン１１２を順次伝わる。放熱フィン１１２の表面に伝わった熱は、カバー１１３の孔を通じて放熱フィン１１２の周囲を流れる空気中へ放出される。これにより、電気回路素子１０１が冷却される。
【００２１】
接続フレーム１０３は、冷却ユニット１０２と、コンデンサユニット（コンデンサ部１０４、第１フレーム１０５及び第２フレーム１０６）との間に介在して、これらのユニットを接続する部材であって、フレーム部１１４と、脚部１１５とを備える。
【００２２】
フレーム部１１４は、前後方向を法線方向とする平板状の部材であって、前方から見て概ね矩形をなす。フレーム部１１４には、前方から見て概ね矩形の貫通穴１１６が設けられている。脚部１１５は、フレーム部の下端から前方へ延びている。
【００２３】
フレーム部１１４は、前方に冷却ユニット１０２が固定されている。詳細には、フレーム部１１４の前面とベース部１１０の後面とを向かい合わせて、フレーム部１１４とベース部１１０とが、例えば図示しないボルトとナットなどにより固定されている。ベース部１１０の後面に取り付けられた電気回路素子１０１は、貫通穴１１６の内部に配置される。
【００２４】
フレーム部１１４は、後方にコンデンサユニットが固定されている。詳細には、フレーム部１１４の後面には、後方から見て、貫通穴１１６に配置された電気回路素子１０１を挟む位置に、第１フレーム１０５及び第２フレーム１０６が固定されている。第１フレーム１０５及び第２フレーム１０６の間には複数のコンデンサ部１０４が固定されている。
【００２５】
コンデンサ部１０４の各々は、電気回路素子１０１に電気的に接続されるコンデンサ素子を含む部材であり、かつ、コンデンサユニットの構造部材である。コンデンサ部１０４の各々は、より具体的な例を挙げると、コンデンサ素子を含んで樹脂などにより形成されたモールドコンデンサである。コンデンサ素子は、例えば、電気回路素子１０１へ入力する直流電力の電流を安定させるためのフィルタコンデンサとして機能する。
【００２６】
コンデンサ部１０４の各々は、図４などに示すように、上下方向の中央にくびれ部を有する直方体状に形成されている。コンデンサ部１０４の各々は、図１などに示すように、フレーム部１１４の後方にて、間隔を空けて前後方向に並べて配置される。最も前方のコンデンサ部１０４は、電気回路素子１０１から間隔を空けて、電気回路素子１０１と対向するように配置される。このように、電気回路素子１０１及びコンデンサ部１０４が間隔を空けて配置されることによって、これらの間には電気回路素子１０１及びコンデンサ部１０４が発する熱が放出される空間（放熱空間）が形成される。
【００２７】
なお、コンデンサ部１０４は１つであってもよいが、複数備えることによって、コンデンサ部１０４の間に放熱空間が形成されるので、コンデンサ部１０４の放熱が促進され、コンデンサ部１０４の冷却効果を向上させることができる。
【００２８】
コンデンサ部１０４の各々は、第１支持面１１７と、第２支持面１１８と、端子１１９とを備える。
【００２９】
第１支持面１１７及び第２支持面１１８は、互いに反対の方向を向き、フレーム部１１４の法線方向と平行な外面である。本実施の形態では、第１支持面１１７及び第２支持面１１８は、それぞれ、前方から見て、左端及び右端の側面であり、くびれ部を介して上側と下側とに分離している。第１支持面１１７の上側及び下側のそれぞれに、例えばボルトなどの第１締結具１０７を締結するための雌ねじが設けられており、第２支持面１１８の上側及び下側のそれぞれに、例えばボルトなどの第２締結具１０８を締結するための雌ねじが設けられている。
【００３０】
端子１１９は、コンデンサ素子に電気的に接続されており、コンデンサ部１０４の左側のくびれ部から左方へ向けて突き出す。
【００３１】
第１フレーム１０５は、コンデンサユニットの左側部を構成する構造部材であって、図２及び４などに示すように、第１取付部１２０と、第１上側延設部１２１と、第１下側延設部１２２と、第１上側前端部１２３と、第１下側前端部１２４とを備える。
【００３２】
第１取付部１２０は、上下及び前後に延び、左方から見て概ね矩形をなす平板状の部分であって、第１締結具１０７を挿通するための複数の締結孔と、第１取付面１２５とを有する。第１取付面１２５は、第１取付部１２０の右側の主面であり、コンデンサ部１０４の第１支持面１１７に当接して固定される。
【００３３】
第１上側延設部１２１は、第１取付部１２０の上端から左方へ延び、さらに、その左端から下方へ延びた部分である。第１下側延設部１２２は、第１取付部１２０の下端から左方へ延び、さらに、その左端から上方へ延びた部分である。
【００３４】
第１上側前端部１２３及び第１下側前端部１２４は、いずれも、第１フレーム１０５の前方の端部であって、第１フレーム１０５をフレーム部１１４に固定するための部位である。本実施の形態では、第１上側前端部１２３は、第１上側延設部１２１の前端から下方へ延びる平板状の部分であり、第１下側前端部１２４は、第１下側延設部１２２の前端から上方へ延びる平板状の部分である。第１フレーム１０５とフレーム部１１４とを固定する第１固定具１２６により、第１上側前端部１２３及び第１下側前端部１２４は、それぞれの前面がフレーム部１１４の後面に当接して固定される。第１固定具１２６は、例えば、第１上側前端部１２３、第１下側前端部１２４及びフレーム部１１４のそれぞれに対応付けて設けられた孔を通して締め付けられるボルトとナットで構成される。
【００３５】
第２フレーム１０６は、コンデンサユニットの右側部を構成する構造部材であって、図３及び４などに示すように、第２取付部１２７と、第２上側延設部１２８と、第２下側延設部１２９と、第２上側前端部１３０と、第２下側前端部１３１とを備える。
【００３６】
第２取付部１２７は、上下及び前後に延び、右方から見て概ね矩形をなす平板状の部分であって、第２締結具１０８を挿通するための複数の締結孔と、第２取付面１３２と、導電体通過部１３３と、複数の端子挿設孔１３４とを備える。
【００３７】
第２取付面１３２は、第２取付部１２７の左側の主面であり、したがって、第１取付面１２５と互いに対向する。第２取付面１３２は、コンデンサ部１０４の第２支持面１１８に当接して固定される。
【００３８】
導電体通過部１３３は、導電体１０９を左右に通過させるための空間としての孔を形成する部分である。なお、導電体１０９を通過させるための空間は、孔に限らず、例えば第２取付部１２７に形成された切り欠きであってもよい。
【００３９】
端子挿設孔１３４の各々は、コンデンサ部１０４の端子１１９の１つを通過させて配置するための貫通孔である。
【００４０】
なお、端子挿設孔１３４は、コンデンサ部１０４の端子１１９の１つ１つに対応して設けられる必要はなく、端子挿設孔１３４は、コンデンサ部１０４の複数の端子１１９を通過させるものであってもよい。また、端子挿設孔１３４は、導電体通過部１３３が形成する穴と連通していてもよい。これにより、電気回路素子１０１及びコンデンサ部１０４の右方を大きく開放することができるので、放熱空間の空気が流れやすくなる。その結果、電気回路素子１０１及びコンデンサ部１０４から放熱空間の空気への放熱が促進され、電気回路素子１０１及びコンデンサ部１０４の冷却効果を向上させることが可能になる。
【００４１】
第２上側延設部１２８は、第２取付部１２７の上端から右方へ延び、さらに、その右端から下方へ延びた部分である。第２下側延設部１２９は、第２取付部１２７の下端から右方へ延び、さらに、その右端から上方へ延びた部分である。
【００４２】
第２上側前端部１３０及び第２下側前端部１３１は、いずれも、第２フレーム１０６の前方の端部であって、第２フレーム１０６をフレーム部１１４に固定するための部位である。本実施の形態に係る第２上側前端部１３０は、第２上側延設部１２８の前端から下方へ延びる平板状の部分である。第２下側前端部１３１は、第２下側延設部１２９の前端から上方へ延びる平板状の部分である。第２フレーム１０６とフレーム部１１４とを固定する第２固定具１３５により、第２上側前端部１３０及び第２下側前端部１３１は、それぞれの前面がフレーム部１１４の後面に当接して固定される。第２固定具１３５は、例えば、第２上側前端部１３０、第２下側前端部１３１及びフレーム部１１４のそれぞれに設けられた孔を通して締め付けられるボルトとナットで構成される。
【００４３】
第１締結具１０７及び第２締結具１０８は、第１フレーム１０５及び第２フレーム１０６のそれぞれをコンデンサ部１０４に締結する部材である。本実施の形態に係る第１締結具１０７及び第２締結具１０８は、例えばボルトであって、第１取付部１２０及び第２取付部１２７のそれぞれの締結孔に挿設されて、コンデンサ部１０４の第１支持面１１７及び第２支持面１１８のそれぞれに設けられた雌ねじに締め付けられる。
【００４４】
導電体１０９は、電気回路素子１０１とコンデンサ部１０４の端子１１９とを電気的に接続する部材であって、ラミネートブスバー、電線などで構成される。本実施の形態の導電体１０９は、屈曲したラミネートブスバーであり、図５などに示すように、電気回路素子１０１の後方に対置されて電気回路素子１０１に電気的に接続されて導電体通過部１３３を通過する部分と、その右端から屈曲して後方へ延びて端子１１９に電気的に接続される部分とから構成される。
【００４５】
なお、図６に示すように、一変形例に係る電力変換装置２００において、コンデンサ部２０４の端子２１９が、上方へ突き出すように配置されてもよい。この場合、導電体２０９であるラミネートブスバーは、例えば、電気回路素子１０１の後方に対置される平板部分にて電気回路素子１０１に電気的に接続され、その平板部分の上端から屈曲して後方へ延びて端子２１９に電気的に接続される。また、第２フレーム１０６には、導電体通過部１３３が設けられなくてもよい。この変形例によれば、導電体２０９が、例えば第２取付部１２７に設けた導電体通過部１３３を通過させることが困難な程に大きいラミネートブスバーであっても、導電体２０９を容易に配置することができる。
【００４６】
本実施の形態及び一変形例によれば、第１フレーム１０５と第２フレーム１０６とがそれぞれコンデンサ部１０４，２０４に固定されることによって、第１フレーム１０５が第１支持面１１７で支持され、第２フレーム１０６が第２支持面１１８で支持される。したがって、第１フレーム１０５及び第２フレーム１０６とともに、コンデンサ部１０４，２０４が、コンデンサユニットに作用する力に耐える構造部材として機能する。その結果、コンデンサ部１０４，２０４の上方及び下方に構造部材を設けなくても、コンデンサユニットの強度を確保することができ、簡素な構造で十分な強度を確保することが可能になる。
【００４７】
実施の形態２．
実施の形態１に係る電力変換装置１００では、第２取付部１２７に導電体通過部１３３を設けることで、導電体１０９をコンデンサ部１０４の側方（右方）に配置することができた。これにより、放熱空間の上方及び下方が開放され、放熱空間において空気が下から上へ上昇する自然対流による空気の流れが促進されるので、電気回路素子１０１及びコンデンサ部１０４の冷却効果を向上させることが可能になる。変形例に係る電力変換装置２００では、導電体１０９を通過させるための空間を第２取付部１２７に設ける必要はなく、導電体１０９が大きなラミネートブスバーであっても、それを配置することができる。しかし、導電体１０９をコンデンサ部１０４の上方に配置するので、放熱空間の上方が塞がれる。その結果、放熱空間における空気の流れが悪くなり、電気回路素子１０１及びコンデンサ部１０４が冷却され難くなる。
【００４８】
実施の形態２では、第２フレームに導電体通過部１３３を設けることなく、大きなラミネートブスバーのような導電体をコンデンサ部１０４の上方ではなく側方（例えば右方）に配置することができる電力変換装置について説明する。
【００４９】
本実施の形態に係る電力変換装置３００は、図７及び８に示すように、実施の形態１と同様の電気回路素子１０１、冷却ユニット１０２、複数のコンデンサ部１０４、第１フレーム１０５、第１締結具１０７及び第２締結具１０８を備える。電力変換装置３００は、実施の形態１に係る接続フレーム１０３、第２フレーム１０６及び導電体１０９に代わる接続フレーム３０３、第２フレーム３０６及び導電体３０９を備える。
【００５０】
なお、図７は、電力変換装置３００を右後ろ上方から見た斜視図である。図８は、電力変換装置３００を後方から見た断面図であって、図４のII−II線に相当する位置における断面を示す。
【００５１】
接続フレーム３０３は、実施の形態１に係る接続フレーム１０３と同様に、冷却ユニット１０２と、コンデンサユニットとの間に介在して、これらのユニットを接続する部材である。接続フレーム３０３は、実施の形態１と同様のフレーム部１１４及び脚部１１５に加えて、接続部３３６を備える。
【００５２】
接続部３３６は、接続フレーム３０３に第２フレーム３０６を固定するための部材であって、フレーム部１１４の後面から後方へ突き出している。接続部３３６は、電気回路素子１０１の右方に配置され、図示しないボルトとナット、溶接などによりフレーム部１１４に固定されている。
【００５３】
詳細には、接続部３３６は、上下及び前後に延びる平板状の側方接続板３３７と、側方接続板３３７の上端及び下端のそれぞれから左方へ向けて延びる上接続板３３８及び下接続板３３９とを備える。側方接続板３３７には、第２固定具３３５を構成するボルトを挿通するための左右に貫通する孔が設けられている。この孔は、側方接続板３３７の上端及び下端それぞれの近傍であって、フレーム部１１４の後面から所定の距離だけ後方へ離間した位置に設けられる。
【００５４】
第２フレーム３０６は、実施の形態１に係る第２フレーム１０６と同様に、コンデンサユニットの右側部を構成する構造部材であり、フレーム部１１４の後面から所定の間隔を空けて接続部３３６に固定されている。第２フレーム３０６は、第２取付部３２７と、第２上側延設部３２８と、第２下側延設部３２９とを備える。
【００５５】
第２取付部３２７は、実施の形態１に係る第２取付部１２７と同様に、上下及び前後に延び、右方から見て概ね矩形をなす平板状の部分である。第２取付部３２７は、実施の形態１に係る第２取付部１２７と同様の複数の締結孔、第２取付面１３２及び複数の端子挿設孔１３４を備える。すなわち、第２取付部３２７には、実施の形態１に係る第２取付部１２７とは異なり、導電体通過部１３３が設けられていない。
【００５６】
第２上側延設部３２８は、実施の形態１に係る第２上側延設部１２８と同様に、第２取付部３２７の上端から右方へ延び、さらに、その右端から下方へ延びた部分である。第２上側延設部３２８の右方へ延びた部分の左右方向の内寸は、上接続板３３８の外寸以上である。
【００５７】
第２下側延設部３２９は、実施の形態１に係る第２下側延設部１２９と同様に、第２取付部３２７の下端から右方へ延び、さらに、その右端から上方へ延びた部分である。第２下側延設部３２９の右方へ延びた部分の左右方向の内寸は、下接続板３３９の外寸以上である。
【００５８】
第２上側延設部３２８の下方へ延びる部分と、第２下側延設部３２９の上方へ延びる部分とのそれぞれに、第２固定具３３５を構成するボルトを挿通するための左右に貫通した孔が設けられている。
【００５９】
第２フレーム３０６がフレーム部１１４の後面から所定の間隔を空けて配置されると、第２フレーム３０６及び側方接続板３３７の左右に貫通した孔が、上側及び下側のそれぞれで連通する。それらの連通した孔に挿通されるボルトとナット（第２固定具３３５）により、第２フレーム３０６は接続部３３６に固定される。
【００６０】
導電体３０９は、実施の形態１に係る導電体１０９と同様に、電気回路素子１０１とコンデンサ部１０４の端子１１９とを電気的に接続する部材であって、ラミネートブスバー、電線などで構成される。本実施の形態の導電体３０９は、図７及び８に示すように、実施の形態１に係る導電体１０９よりも大きい、屈曲したラミネートブスバーであり、電気回路素子１０１に電気的に接続されて右方に延びる平板状の部分と、その右端から屈曲して後方へ延びて端子１１９に電気的に接続される平板状の部分とから構成される。第２フレーム３０６の第２取付部３２７とフレーム部１１４とは間隙を空けて配置されるので、この間隙を通じて大きな導電体１０９をコンデンサ部１０４の右方に配置することができる。
【００６１】
本実施の形態によれば、実施の形態１と同様に、コンデンサ部１０４の上方及び下方に構造部材を設けなくても、コンデンサユニットの強度を確保することができ、簡素な構造で十分な強度を確保することが可能になる。
【００６２】
第２フレーム３０６に導電体通過部１３３を設けることなく、コンデンサ部１０４の側方に導電体３０９を配置することができる。また、導電体３０９が大きなラミネートブスバーであっても、コンデンサ部１０４の側方に導電体３０９を配置することができる。
【００６３】
そして、コンデンサ部１０４の側方に導電体１０９を配置することにより、放熱空間の上方及び下方が開放されるので、自然対流によって放熱空間の空気の流れが促進される。その結果、電気回路素子１０１及びコンデンサ部１０４から放熱空間の空気への放熱が促進され、電気回路素子１０１及びコンデンサ部１０４の冷却効果を向上させることが可能になる。
【００６４】
実施の形態３．
実施の形態３に係る電力変換装置４００は、実施の形態１と同様の電気回路素子１０１、冷却ユニット１０２、複数のコンデンサ部１０４、第１締結具１０７、第２締結具１０８及び導電体１０９を備える。電力変換装置４００は、図９に示すように、実施の形態１に係る接続フレーム１０３、第１フレーム１０５及び第２フレーム１０６に代わる、接続フレーム４０３、第１フレーム４０５及び第２フレーム４０６を備える。
【００６５】
接続フレーム４０３は、実施の形態１に係る接続フレーム１０３と同様に、冷却ユニット１０２と、コンデンサユニットとの間に介在して、これらのユニットを接続する部材である。接続フレーム４０３は、実施の形態１に係るフレーム部１１４に代わるフレーム部４１４と、実施の形態１と同様の脚部１１５とを備える。
【００６６】
フレーム部４１４は、実施の形態１に係るフレーム部１１４と概ね同様の構成を備え、第１固定具１２６及び第２固定具１３５を構成するボルトを挿通するための孔が上側にのみ設けられており、下側に設けられていないことが、実施の形態１に係るフレーム部１１４と異なる。
【００６７】
第１フレーム４０５は、実施の形態１に係る第１フレーム１０５と同様に、コンデンサユニットの左側部を構成する構造部材である。第１フレーム４０５は、図９に示すように、第１取付部４２０と、実施の形態１と同様の第１上側延設部１２１及び第１上側前端部１２３とを備える。第１フレーム４０５は、第１下側延設部１２２及び第１下側前端部１２４を備えないことが、実施の形態１に係る第１フレーム１０５と異なる。
【００６８】
第１取付部４２０は、その下端がコンデンサ部１０４の底面と同じ高さ（上下方向の位置）に位置付けられることを除いて、実施の形態１に係る第１取付部１２０と同様の構成を備える。
【００６９】
第２フレーム４０６は、実施の形態１に係る第２フレーム１０６と同様に、コンデンサユニットの左側部を構成する構造部材である。第２フレーム４０６は、図９に示すように、第２取付部４２７と、実施の形態１と同様の第２上側延設部１２８及び第２上側前端部１３０とを備える。第２フレーム４０６は、第２下側延設部１２９及び第２下側前端部１３１を備えないことが、実施の形態１に係る第２フレーム１０６と異なる。
【００７０】
第２取付部４２７は、その下端がコンデンサ部１０４の底面と同じ高さに位置付けられることを除いて、実施の形態１に係る第２取付部１２７と同様の構成を備える。
【００７１】
本実施の形態によれば、実施の形態１と同様に、コンデンサ部１０４の上方及び下方に構造部材を設けなくても、コンデンサユニットの強度を確保することができ、簡素な構造で十分な強度を確保することが可能になる。
【００７２】
本実施の形態では、第１フレーム４０５が第１下側延設部１２２及び第１下側前端部１２４を備えず、第２フレーム４０６が第２下側延設部１２９及び第２下側前端部１３１を備えない。第１取付部４２０及び第２取付部４２７それぞれが、コンデンサ部１０４の底面より下方へ延びていない。これらにより、電力変換装置４００の構造を、実施の形態１に係る電力変換装置１００よりも簡素にすることができる。また、実施の形態１に係る第１フレーム１０５及び第２フレーム１０６よりも少ない材料で第１フレーム４０５及び第２フレーム４０６を製造することができるので、電力変換装置４００を製造するための費用を低減することが可能になる。
【００７３】
実施の形態４．
本実施の形態に係る電力変換装置５００は、実施の形態１と同様の電気回路素子１０１、冷却ユニット１０２、接続フレーム１０３、複数のコンデンサ部１０４及び導電体１０９を備える。電力変換装置５００は、図１０に示すように、実施の形態１に係る第１フレーム１０５、第２フレーム１０６、第１締結具１０７及び第２締結具１０８に代わる第１フレーム５０５、第２フレーム５０６、第１締結具５０７及び第２締結具５０８を備える。電力変換装置５００は、さらに、第３フレーム５４０、第４フレーム５４１、第３締結具５４２及び第４締結具５４３を備える。
【００７４】
第１フレーム５０５及び第３フレーム５４０は、コンデンサユニットの左側部を構成する構造部材である。第１フレーム５０５及び第３フレーム５４０は、それぞれ、実施の形態１に係る第１取付部１２０の上下方向に概ね中央の部分を取り除いて第１フレーム１０５を上下に分離した場合の上側及び下側の部材に相当する。
【００７５】
第１フレーム５０５は、第１取付部５２０と、第１上側延設部５２１と、第１上側前端部５２３とを備える。第３フレーム５４０は、第３取付部５４４と、第３下側延設部５４５と、第３下側前端部５４６とを備える。
【００７６】
第１取付部５２０及び第３取付部５４４は、いずれも、上下及び前後に延び、左方から見て概ね矩形をなす平板状の部分であり、上下方向に離間して設けられる。第１取付部５２０及び第３取付部５４４は、それぞれ、第１締結具５０７及び第３締結具５４２を通すための複数の締結孔と、右側の主面である第１取付面５２５及び第３取付面５４７とを有する。
【００７７】
第１取付面５２５及び第３取付面５４７は、前後及び上下に延びる仮想的な同一面上に位置付けられる。第１取付面５２５がコンデンサ部１０４の上側の第１支持面１１７に当接し、かつ、第３取付面５４７がコンデンサ部１０４の下側の第１支持面１１７に当接するように、第１取付部５２０及び第３取付部５４４が、それぞれ、第１締結具５０７及び第３締結具５４２によりコンデンサ部１０４に固定される。
【００７８】
第１上側延設部５２１及び第３下側延設部５４５は、それぞれ、実施の形態１に係る第１上側延設部１２１及び第１下側延設部１２２と同様に構成される部分である。すなわち、第１上側延設部５２１は、第１取付部５２０の上端から左方へ延び、さらに、その左端から下方へ延びた部分である。第３下側延設部５４５は、第３取付部５４４の下端から左方へ延び、さらに、その左端から上方へ延びた部分である。
【００７９】
第１上側前端部５２３及び第３下側前端部５４６は、それぞれ、第１フレーム５０５及び第３フレーム５４０をフレーム部１１４に固定するための部位であり、実施の形態１に係る第１上側前端部１２３及び第１下側前端部１２４と同様に構成される。
【００８０】
すなわち、第１上側前端部５２３は、第１フレーム５０５の前方の端部であって、第１上側延設部５２１から下方へ延びる平板状の部分である。第１フレーム５０５とフレーム部１１４とを固定する第１固定具５２６により、第１上側前端部５２３は、その前面がフレーム部１１４の後面に当接して固定される。第１固定具５２６は、例えば、第１上側前端部５２３及びフレーム部１１４のそれぞれに対応付けて設けられた孔を通じて配置されるボルトとナットで構成される。
【００８１】
また、第３下側前端部５４６は、第３フレーム５４０の前方の端部であって、第３下側延設部５４５から上方へ延びる平板状の部分である。第３フレーム５４０とフレーム部１１４とを固定する第３固定具５４８により、第３下側前端部５４６は、その前面がフレーム部１１４の後面に当接して固定される。第３固定具５４８は、例えば、第３下側前端部５４６及びフレーム部１１４のそれぞれに対応付けて設けられた孔を通じて配置されるボルトとナットで構成される。
【００８２】
第２フレーム５０６及び第４フレーム５４１は、コンデンサユニットの右側部を構成する構造部材である。第２フレーム５０６及び第４フレーム５４１は、それぞれ、実施の形態１に係る第２取付部１２７の上下方向に概ね中央の部分を取り除いて第２フレーム１０６を上下に分離した場合の上側及び下側の部材に相当する。
【００８３】
第２フレーム５０６は、第２取付部５２７と、第２上側延設部５２８と、第２上側前端部５３０とを備える。第４フレーム５４１は、第４取付部５４９と、第４下側延設部５５０と、第４下側前端部５５１とを備える。
【００８４】
第２取付部５２７及び第４取付部５４９は、いずれも、上下及び前後に延び、右方から見て概ね矩形をなす平板状の部分であり、上下方向に離間して設けられる。第２取付部５２７及び第４取付部５４９は、それぞれ、第２締結具５０８及び第４締結具５４３を挿通するための複数の締結孔を有する。さらに、第２取付部５２７及び第４取付部５４９は、それぞれ、左側の主面である第２取付面５３２及び第４取付面５５２を有する。
【００８５】
第２取付面５３２及び第４取付面５５２は、前後及び上下に延びる仮想的な同一面上に位置付けられ、それぞれ、第１取付面５２５及び第３取付面５４７と対向する。第２取付面５３２がコンデンサ部１０４の上側の第２支持面１１８に当接し、かつ、第４取付面５５２がコンデンサ部１０４の下側の第２支持面１１８に当接するように、第２取付部５２７及び第４取付部５４９が、それぞれ、第２締結具５０８及び第４締結具５４３によりコンデンサ部１０４に固定される。
【００８６】
導電体１０９及びコンデンサ部１０４の端子１１９は、第２取付部５２７と第４取付部５４９との間を通過して配置される。
【００８７】
第２上側延設部５２８及び第４下側延設部５５０は、それぞれ、実施の形態１に係る第２上側延設部１２８及び第２下側延設部１２９と同様に構成される部分である。すなわち、第２上側延設部５２８は、第２取付部５２７の上端から右方へ延び、さらに、その右端から下方へ延びた部分である。第４下側延設部５５０は、第４取付部５４９の下端から右方へ延び、さらに、その右端から上方へ延びた部分である。
【００８８】
第２上側前端部５３０及び第４下側前端部５５１は、それぞれ、第２フレーム５０６及び第４フレーム５４１をフレーム部１１４に固定するための部位であり、実施の形態１に係る第２上側前端部１３０及び第２下側前端部１３１と同様に構成される。
【００８９】
すなわち、第２上側前端部５３０は、第２フレーム５０６の前方の端部であって、第２上側延設部５２８から下方へ延びる平板状の部分である。第２フレーム５０６とフレーム部１１４とを固定する第２固定具５３５により、第２上側前端部５３０は、その前面がフレーム部１１４の後面に当接して固定される。第２固定具５３５は、例えば、第２上側前端部５３０及びフレーム部１１４のそれぞれに対応付けて設けられた孔を通じて配置されるボルトとナットで構成される。
【００９０】
また、第４下側前端部５５１は、第４フレーム５４１の前方の端部であって、第４下側延設部５５０から上方へ延びる平板状の部分である。第４フレーム５４１とフレーム部１１４とを固定する第４固定具５５３により、第４下側前端部５５１は、その前面がフレーム部１１４の後面に当接して固定される。第４固定具５５３は、例えば、第４下側前端部５５１及びフレーム部１１４のそれぞれに対応付けて設けられた孔を通じて配置されるボルトとナットで構成される。
【００９１】
第１締結具５０７、第２締結具５０８、第３締結具５４２及び第４締結具５４３は、それぞれ、第１フレーム５０５、第２フレーム５０６、第３フレーム５４０及び第４フレーム５４１のそれぞれをコンデンサ部１０４に締結する部材である。本実施の形態に係る第１締結具５０７、第２締結具５０８、第３締結具５４２及び第４締結具５４３は、例えばボルトであって、それぞれ、第１取付部５２０、第２取付部５２７、第３取付部５４４及び第４取付部５４９のそれぞれの締結孔に挿通される。第１締結具５０７及び第３締結具５４２は、それぞれ、コンデンサ部１０４の第１支持面１１７の上側及び下側に設けられた雌ねじに締め付けられる。第２締結具５０８及び第４締結具５４３は、それぞれ、コンデンサ部１０４の第２支持面１１８の上側及び下側に設けられた雌ねじに締め付けられる。
【００９２】
本実施の形態によれば、第１フレーム５０５、第２フレーム５０６、第３フレーム５４０及び第４フレーム５４１のそれぞれがコンデンサ部１０４に固定される。これにより、第１フレーム５０５及び第３フレーム５４０が第１支持面１１７で支持され、第２フレーム５０６及び第４フレーム５４１が第２支持面１１８で支持される。したがって、第１フレーム５０５、第２フレーム５０６、第３フレーム５４０及び第４フレーム５４１とともに、コンデンサ部１０４が、コンデンサユニットに作用する力に耐える構造部材として機能する。その結果、コンデンサ部１０４の上方及び下方に構造部材を設けなくても、コンデンサユニットの強度を確保することができ、簡素な構造で十分な強度を確保することが可能になる。
【００９３】
本実施の形態によれば、第２フレーム５０６と第４フレーム５４１との間の間隔を通じて、電気回路素子１０１及びコンデンサ部１０４の側方に導電体１０９を配置することができる。これにより、放熱空間の上方及び下方が開放されるので、自然対流によって放熱空間の空気の流れが促進される。また、本実施の形態では、電気回路素子１０１及びコンデンサ部１０４の左右を大きく開放することができるので、放熱空間の空気が流れやすくなる。その結果、電気回路素子１０１及びコンデンサ部１０４から放熱空間の空気への放熱が促進され、電気回路素子１０１及びコンデンサ部１０４の冷却効果を向上させることが可能になる。
【００９４】
本実施の形態によれば、実施の形態１に係る第１フレーム１０５及び第２フレーム１０６よりも、少ない材料で第１フレーム５０５、第２フレーム５０６、第３フレーム５４０及び第４フレーム５４１を製造することができる。したがって、電力変換装置５００を製造するための費用を実施の形態１に係る電力変換装置１００を製造するよりも低減することが可能になる。
【００９５】
以上、本発明の実施の形態及び変形例について説明したが、本発明は、実施の形態及び変形例に限定されるものではなく、実施の形態及び変形例を適宜組み合わせた形態、それらに種々の変更を加えた形態などを含む。
【００９６】
例えば、実施の形態２と３が組み合わされてもよい。すなわち、接続フレーム３０３が接続部３３６を備え、第２下側延設部１２９及び第２下側前端部１３１を備えない第２フレーム３０６が、実施の形態２と同様の方法で接続部３３６に固定されてもよい。この場合、接続部３３６は、側方接続板３３７の上側部分（例えば、上半分）及び上接続板３３８から構成され、側方接続板３３７の下側部分（例えば、下半分）及び下接続板３３９を備えなくてもよい。
【００９７】
例えば、実施の形態２と４が組み合わされてもよい。すなわち、接続フレーム３０３が接続部３３６を備え、上下に分離された第２フレーム３０６の上側及び下側のそれぞれが、実施の形態２と同様の方法で接続部３３６に固定されてもよい。
【００９８】
これらの形態によれば、実施の形態２と同様の効果を奏する。すなわち、簡素な構造で十分な強度を確保することが可能になる。大きなラミネートブスバーで構成される導電体３０９（図７参照）であっても、コンデンサ部１０４の側方に導電体３０９を配置することができるので、電気回路素子１０１及びコンデンサ部１０４の冷却効果を向上させることが可能になる。
【産業上の利用可能性】
【００９９】
本発明に係る電力変換装置は、鉄道車両、クレーン車、船舶、航空機、産業用機械などに好適に利用することができる。
【符号の説明】
【０１００】
１００，２００，３００，４００，５００  電力変換装置、１０１  電気回路素子、１０２  冷却ユニット、１０３，３０３，４０３  接続フレーム、１０４，２０４  コンデンサ部、１０５，４０５，５０５  第１フレーム、１０６，３０６，４０６，５０６  第２フレーム、１０７，５０７  第１締結具、１０８，５０８  第２締結具、１０９，２０９，３０９  導電体、１１０  ベース部、１１１  ヒートパイプ、１１２  放熱フィン、１１４，４１４  フレーム部、１１６  貫通穴、１１７  第１支持面、１１８  第２支持面、１１９，２１９  端子、１２０，４２０，５２０  第１取付部、１２１，５２１  第１上側延設部、１２２  第１下側延設部、１２３，５２３  第１上側前端部、１２４  第１下側前端部、１２５，５２５  第１取付面、１２６，５２６  第１固定具、１２７，３２７，４２７，５２７  第２取付部、１２８，３２８，５２８  第２上側延設部、１２９，３２９  第２下側延設部、１３０，５３０  第２上側前端部、１３１  第２下側前端部、１３２，５３２  第２取付面、１３３  導電体通過部、１３４  端子挿設孔、１３５，３３５，５３５  第２固定具、３３６  接続部、３３７  側方接続板、３３８  上接続板、３３９  下接続板、５４０  第３フレーム、５４１  第４フレーム、５４２  第３締結具、５４３  第４締結具、５４４  第３取付部、５４５  第３下側延設部、５４６  第３下側前端部、５４７  第３取付面、５４８  第３固定具、５４９  第４取付部、５５０  第４下側延設部、５５１  第４下側前端部、５５２  第４取付面、５５３  第４固定具。
【図１】
2015118654.tif 000003
【図２】
2015118654.tif 000004
【図３】
2015118654.tif 000005
【図４】
2015118654.tif 000006
【図５】
2015118654.tif 000007
【図６】
2015118654.tif 000008
【図７】
2015118654.tif 000009
【図８】
2015118654.tif 000010
【図９】
2015118654.tif 000011
【図１０】
2015118654.tif 000012
【手続補正書】
【提出日】平成28年7月14日(2016.7.14)
【手続補正１】
【補正対象書類名】明細書
【補正対象項目名】０００７
【補正方法】変更
【補正の内容】
【０００７】
上記目的を達成するため、本発明に係る電力変換装置は、電気回路素子と、冷却部と、接続フレームと、コンデンサ部と、第１フレームと、第２フレームとを備える。電気回路素子は、電力を変換するために動作して発熱する。冷却部は、電気回路素子が取り付けられ、電気回路素子が動作中に発する熱を空気中へ放出することにより電気回路素子を冷却する。接続フレームは、冷却部が取り付けられる平板状のフレーム部を有する。コンデンサ部は、電気回路素子に電気的に接続されるコンデンサ素子を含んで形成され、フレーム部の法線方向に配置される構造部材である。コンデンサ部は、互いに反対の方向を向き、法線方向と平行な外面である第１支持面及び第２支持面を有する。第１フレームは、接続フレームに固定される端部と、第１支持面に固定される第１取付面とを有する。第２フレームは、接続フレームに固定される端部と、第１取付面と互いに対向する方向を向き、第２支持面に固定される第２取付面とを有する。法線方向は、水平方向である。第１支持面がコンデンサ部の一方の側面であり、第２支持面が他方の側面である。第１フレームと第２フレームのいずれもがコンデンサ部の上面を覆わない。
【手続補正２】
【補正対象書類名】特許請求の範囲
【補正対象項目名】全文
【補正方法】変更
【補正の内容】
【特許請求の範囲】
【請求項１】
電力を変換するために動作して発熱する電気回路素子と、
前記電気回路素子が取り付けられ、前記電気回路素子が動作中に発する熱を空気中へ放出することにより前記電気回路素子を冷却する冷却部と、
前記冷却部が取り付けられる平板状のフレーム部を有する接続フレームと、
前記電気回路素子に電気的に接続されるコンデンサ素子を含んで形成され、前記フレーム部の法線方向に配置される構造部材であって、互いに反対の方向を向き、前記法線方向と平行な外面である第１支持面及び第２支持面を有するコンデンサ部と、
前記接続フレームに固定される端部と、前記第１支持面に固定される第１取付面とを有する第１フレームと、
前記接続フレームに固定される端部と、前記第１取付面と互いに対向する方向を向き、前記第２支持面に固定される第２取付面とを有する第２フレームとを備え、
前記法線方向は、水平方向であり、
前記第１支持面が前記コンデンサ部の一方の側面であり前記第２支持面が他方の側面であり、
前記第１フレームと前記第２フレームのいずれもが前記コンデンサ部の上面を覆わない、
電力変換装置。
【請求項２】
前記第１フレーム及び前記第２フレームは、いずれも、前記フレーム部に固定されている、
請求項１に記載の電力変換装置。
【請求項３】
電力を変換するために動作して発熱する電気回路素子と、
前記電気回路素子が取り付けられ、前記電気回路素子が動作中に発する熱を空気中へ放出することにより前記電気回路素子を冷却する冷却部と、
前記冷却部が取り付けられる平板状のフレーム部を有する接続フレームと、
前記電気回路素子に電気的に接続されるコンデンサ素子を含んで形成され、前記フレーム部の法線方向に配置される構造部材であって、互いに反対の方向を向き、前記法線方向と平行な外面である第１支持面及び第２支持面を有するコンデンサ部と、
前記接続フレームに固定される端部と、前記第１支持面に固定される第１取付面とを有する第１フレームと、
前記接続フレームに固定される端部と、前記第１取付面と互いに対向する方向を向き、前記第２支持面に固定される第２取付面とを有する第２フレームとを備え、
前記第１フレームは、前記フレーム部に取り付けられており、
前記接続フレームは、前記フレーム部から前記法線方向へ突き出た、前記第２フレームを固定するための接続部をさらに有し、
前記第２フレームは、前記フレーム部から間隙を空けて前記接続部に固定される、
電力変換装置。
【請求項４】
前記第２フレームと前記フレーム部との間の前記間隙を通過して配置されており、前記電気回路素子と前記コンデンサ部とを電気的に接続する導電体をさらに備える、
請求項３に記載の電力変換装置。
【請求項５】
前記第１フレーム及び前記第２フレームは、前記法線方向を水平にした場合に、前記コンデンサ部の底面と同じ高さに位置付けられる下端部を有する、
請求項１から４のいずれか１項に記載の電力変換装置。
【請求項６】
前記フレーム部に固定される端部と、前記法線方向を水平にした場合に前記第１取付面の下方にて前記第１取付面と面一に配置される第３取付面とを有する第３フレームと、
前記フレーム部に固定される端部と、前記第２取付面の前記下方にて前記第２取付面と面一に配置され、前記第３取付面と対向する方向を向く第４取付面とを有する第４フレームとをさらに備え、
前記第１支持面は、前記第１取付面が固定される領域と、当該領域の前記下方にて前記第３取付面が固定される領域とを有し、
前記第２支持面は、前記第２取付面が固定される領域と、当該領域の前記下方にて前記第４取付面が固定される領域とを有する、
請求項１から４のいずれか１項に記載の電力変換装置。
【請求項７】
前記電気回路素子と前記コンデンサ部とが間隔を空けて対置される、
請求項１から６のいずれか１項に記載の電力変換装置。
【請求項８】
前記コンデンサ部は、前記第２フレームが取り付けられる方向へ突き出す端子を有し、
前記第２フレームは、前記端子が挿設される端子挿設孔を有する、
請求項１から７のいずれか１項に記載の電力変換装置。
【請求項９】
前記コンデンサ部は、前記法線方向に間隔を空けて複数並べて配置される、
請求項１から８のいずれか１項に記載の電力変換装置。
【国際調査報告】
2015118654.tif 000013
2015118654.tif 000014